(57)【要約】      （修正有）【課題】片手で操作が可能で、且つ甲板を任意の角度に平穏に折り畳み可能なテーブル構造を提供する。【解決手段】テーブル構造は、主に２本の脚１の間に甲板２が枢着され、且つ甲板の一側及びその内の１本の脚の間にシリンダ３１とピストン棒３２を備える圧力シリンダが装設される。甲板の折り畳み及び展開において、片手で圧力シリンダのハンドレバー３５を操作して甲板の固定状態を解除させ、続いて甲板の折り畳みを行う。圧力シリンダによる緩衝により甲板が平穏に折り畳まれ、甲板及び折り畳み関節等の箇所がぶつかって損壊することがなくなり、且つ折り畳み時に手が挟まれて怪我をする事故が防止される。また、甲板は需要に応じて垂直に折り畳まれ、水平に展開され、その間が任意の角度で定位され、使用上の利便性が向上する。【選択図】図１
0003215689.tif 000002
【実用新案登録請求の範囲】
【請求項１】
対応し合う２本の脚が設置され、
２本の脚の間には甲板が枢着され、
前記甲板の一側及びその内の１本の脚の間には圧力シリンダが設置され、
前記圧力シリンダはシリンダ及びピストン棒を備え、且つ前記シリンダ及びピストン棒により対応し合う第一端及び第二端が各々形成され、また、前記ピストン棒の第二端は前記シリンダの第一端から前記シリンダ内に貫設され、且つ前記ピストン棒の第二端及び前記シリンダ内の圧力伝動ユニットが相互に連結され、前記シリンダの第二端及び前記ピストン棒の第一端には結合座が各々固着され、且つ前記シリンダの第二端及び前記ピストン棒の第一端の結合座は前記甲板の一側及びその脚にそれぞれ相互に枢着され、前記シリンダの第二端の箇所には圧力制御部材が装設され、且つ前記圧力制御部材及び前記シリンダ内の圧力伝動ユニットが相互に連結され、ハンドレバーが覆設され、前記ハンドレバーには対応し合う第一端及び第二端が形成され、前記ハンドレバーの第一端及び前記シリンダの結合座が相互に枢着され、且つ前記ハンドレバーが前記圧力制御部材の箇所を通過させ、前記圧力制御部材に相互に接触させることを特徴とする、
テーブル構造。
【請求項２】
前記シリンダの第二端に固着される結合座により対応し合う２つのラグが形成され、前記シリンダの圧力制御部材が２つのラグの間に位置され、前記ハンドレバーの第一端及び前記結合座の１つのラグが相互に枢着され、且つ前記結合座の他のラグには長形溝型の位置限定孔が成形され、前記ハンドレバーの第二端は前記結合座の他のラグの位置限定孔から外に貫通されることを特徴とする請求項１に記載のテーブル構造。
【請求項３】
前記甲板の底面には組立フレームが固設され、且つ前記組立フレームの両側は前記２本の脚にそれぞれ枢着され、前記シリンダの第二端の結合座は前記組立フレームに枢着されることを特徴とする請求項１に記載のテーブル構造。
【考案の詳細な説明】
【技術分野】
【０００１】
本考案は、テーブル構造に関し、より詳しくは、片手で操作が可能な簡易な構造であり、且つ甲板を任意の角度に平穏に折り畳み可能なテーブル構造に関する。
【背景技術】
【０００２】
現在オフィスや会議室等で使用されるテーブルは、室内空間を効率的に利用するために甲板が折り畳み可能な設計となっており、従来の固定式甲板に取って代わっている。これは不使用時には甲板が折り畳まれて収納されるため、室内空間の利用効率が高まる。
【０００３】
従来の特許文献、例えば特許文献１に記載されている『甲板跳ね上げ機構』は、主に甲板、脚、係合板、掛合板、制御部材等の主要部材を備える。甲板の下テーブル面には脚に対応させる掛合板及び掛合板を制御させる制御部材が設置され、且つ脚の上段には甲板の下テーブル面の掛合板に対応させる係合板が設置される。また、係合板の下段は脚に固設され、上段の板体には上下２つの係合ノッチが設けられ、甲板が下に跳ね上げられる場合、或いは上に跳ね上げられる場合に掛合板が掛合されて定位される。なお、掛合板の一端及び位置決め軸が甲板の下テーブル面に固設され、位置決め軸にはばねが設置され、掛合板が恒久的な掛合弾力を有し、他端の掛合部が係合板の何れか１つの係合ノッチに嵌入されて掛合される。さらに、制御部材の一端も掛合板及び位置決め軸と共に甲板の下テーブル面に固設されて連動状態となり、制御部材が圧迫されるか作動されると位置決め軸により連動されて掛合板の掛合部が移動するように操作され、係合板の係合ノッチに嵌合されて定位される。
上述の部材の設置により、甲板の下テーブル面に設置される制御部材が圧迫されるか作動されると、位置決め軸により掛合板の掛合部が連動されて係合板の上下の係合ノッチの間で移動を行い、掛合または脱離機能により、甲板が下に跳ね上げられるか上に跳ね上げられて定位される効果を達成させる。
【先行技術文献】
【特許文献】
【０００４】
【特許文献１】台湾実用新案第５８９９６３号明細書
【考案の概要】
【考案が解決しようとする課題】
【０００５】
前述した特許文献１の技術は、折り畳み収納機能を有するが、その構造設計が複雑であり、製造コストも高い。また、甲板の折り畳み及び展開時には、使用者は両手で同時に甲板の下方の両側の箇所にある制御部材を操作し、両側の制御部材が連動されて連結されている掛合板及びそれに隣接する係合板の係合ノッチを脱離または掛合状態にしなければならず、使用者は両手で両側の制御部材をそれぞれ操作し、係合板に対する掛合板の掛合状態を解放させる。このため、甲板が折り畳まれると重力により甲板が自動的に落下するが、甲板を展開する場合、使用者が甲板に力をかけて上に引き起こさなければならず、甲板の展開は面倒で不便であった。
また、甲板が重力により落下する場合、減速構造の設計がないため、甲板が高速に落下して成甲板及び折り畳み関節等の箇所の構造がぶつかって損壊してしまった。さらに、使用者が操作するための制御部材は甲板及び折り畳み関節の箇所に隣接しているため、甲板が高速に落下すると使用者の手が挟まれて怪我をする危険があった。また、前述した特許文献１の技術は、甲板の垂直折り畳み及び水平展開定位機能のみを有するため、甲板を任意の折り畳み角度に定位させることができず、その機能が制限されている。
【０００６】
そこで、本考案者は上記の欠点が改善可能と考え、鋭意検討を重ねた結果、合理的設計で上記の課題を効果的に改善する本考案の提案に到った。
【０００７】
かかる従来の実情に鑑みて、本考案は、片手で操作可能な簡易な構造であり、且つ甲板を任意の角度に平穏に折り畳み可能なテーブル構造を提供することを目的とする。
【課題を解決するための手段】
【０００８】
上述した課題を解決し、目的を達成するための本考案に係るテーブル構造の特徴は、主に対応し合う２本の脚が設置され、且つ２本の脚の間には甲板が枢着される。前記甲板の一側及びその内の１本の脚の間には圧力シリンダが設置され、前記圧力シリンダはシリンダ及びピストン棒を備える。前記シリンダ及びピストン棒により対応し合う第一端及び第二端が各々形成される。前記ピストン棒の第二端は前記シリンダの第一端から前記シリンダ内に貫設され、且つ前記ピストン棒の第二端及び前記シリンダ内の圧力伝動ユニットが相互に連結される。前記シリンダの第二端及び前記ピストン棒の第一端には結合座が各々固着され、且つ前記シリンダの第二端及び前記ピストン棒の第一端の結合座は前記甲板の一側及びその脚にそれぞれ相互に枢着される。前記シリンダの第二端の箇所には圧力制御部材が装設され、且つ前記圧力制御部材及び前記シリンダ内の圧力伝動ユニットが相互に連結され、ハンドレバーが覆設される。前記ハンドレバーには対応し合う第一端及び第二端が形成され、前記ハンドレバーの第一端及び前記シリンダの結合座が相互に枢着され、且つ前記ハンドレバーが前記圧力制御部材の箇所を通過させ、前記圧力制御部材に相互に接触させる。
【０００９】
好ましい実施態様において、前記シリンダの第二端に固着される結合座により対応し合う２つのラグが形成され、前記シリンダの圧力制御部材が２つのラグの間に位置され前記ハンドレバーの第一端及び前記結合座の１つのラグが相互に枢着される。前記結合座の他のラグには長形溝型の位置限定孔が成形され、前記ハンドレバーの第二端は前記結合座の他のラグの位置限定孔から外に貫通される。
【００１０】
好ましい実施態様において、前記甲板の底面には組立フレームが固設され、且つ前記組立フレームの両側は前記２本の脚にそれぞれ枢着され、前記シリンダの第二端の結合座は前記組立フレームに枢着される。
【００１１】
好ましい実施態様において、前記圧力シリンダは無段階式空気圧シリンダである。
【考案の効果】
【００１２】
本考案によれば、甲板の折り畳み及び展開時に、使用者は圧力シリンダのハンドレバーを片手で操作し、甲板の固定状態を解除させる。続いて、甲板の折り畳みを行い、圧力シリンダによる緩衝により甲板が平穏に折り畳まれ、甲板及び折り畳み関節等の箇所がぶつかって損壊することはなくなる。また、折り畳み時に使用者の手が挟まれて怪我をする事故が防止される。さらに、本考案の甲板は需要に応じて垂直に折り畳まれ、水平に展開されてその間を任意の角度で定位させることができ、よって、使用上の利便性が向上する。
【図面の簡単な説明】
【００１３】
【図１】本考案の一実施形態に係るテーブル構造を示す外観斜視図である。
【図２】本考案の一実施形態に係るテーブル構造を示す他の外観斜視図である。
【図３】本考案の一実施形態に係るテーブル構造を示す正面図である。
【図４】本考案のテーブル構造が折り畳まれて収納される状態図である。
【考案を実施するための形態】
【００１４】
以下、図面を参照しつつ、本考案に係るテーブル構造について具体的に説明する。尚、以下に説明する実施の形態は、実用新案登録請求の範囲に記載された本考案の内容を限定するものではない。また、以下に説明される構成の全てが、本考案の必須要件であるとは限らない。
【実施例】
【００１５】
図１〜４を参照しながら、本考案をさらに詳しく説明する。まず、本考案のテーブル構造は、図１乃至図３に示されるように、主に対応し合う２本の脚（１）を備え、前記２本の脚（１）の間には甲板（２）が設置される。前記甲板（２）の底面には組立フレーム（２１）が固設され、且つ前記甲板（２）の組立フレーム（２１）の対応し合う両側は前記２本の脚（１）にそれぞれ枢着される。圧力シリンダ（３）が更に設置され、前記圧力シリンダ（３）は無段階式空気圧シリンダであり、前記圧力シリンダ（３）は前記甲板（２）の一側と１本の脚（１）の間に位置される。
前記圧力シリンダ（３）はシリンダ（３１）及びピストン棒（３２）を備え、且つ前記シリンダ（３１）及びピストン棒（３２）により対応し合う第一端及び第二端が各々形成され、前記ピストン棒（３２）の第二端が前記シリンダ（３１）の第一端から前記シリンダ（３１）内に貫設され、且つ前記ピストン棒（３２）の第二端が前記シリンダ（３１）内の圧力伝動ユニットに連結され、前記ピストン棒（３２）がシリンダ（３１）に対して可動で伸縮される。また、前記シリンダ（３１）の第二端及びピストン棒（３２）の第一端には第一結合座（３１１）及び第二結合座（３２１）が各々固着され、且つ前記シリンダ（３１）の第一結合座（３１１）及び前記ピストン棒（３２）の第二結合座（３２１）にはピボット（３３）がそれぞれ穿設され、前記甲板（２）の組立フレーム（２１）及び１本の脚（１）が結合されるように枢着される。前記第一結合座（３１１）には対応し合う２つのラグ（３１２）が形成され、且つ前記シリンダ（３１）の第二端が前記第一結合座（３１１）の２つのラグ（３１２）の間に位置されると共に圧力制御部材（３４）が装設され、且つ前記圧力制御部材（３４）及び前記シリンダ（３１）内の圧力伝動ユニットが相互に連結され、ハンドレバー（３５）が覆設される。
前記ハンドレバー（３５）には対応し合う第一端及び第二端が形成され、前記ハンドレバー（３５）の第一端及び前記シリンダ（３１）の第一結合座（３１１）の１つのラグ（３１２）が相互に枢着される。前記ハンドレバー（３５）は前記圧力制御部材（３４）の箇所を通過させて前記圧力制御部材（３４）に相互に接触させ、且つ前記ハンドレバー（３５）の第二端は前記第一結合座（３１１）の他のラグ（３１２）に設けられる長形溝型の位置限定孔（３１３）から外に貫通される。
【００１６】
これにより、使用者が本考案の甲板（２）を折り畳む場合、不使用時に占拠する空間が節約される。これは図４に示す。使用者は片手で本考案のハンドレバー（３５）の第二端を操作させ、ハンドレバー（３５）により接触する圧力制御部材（３４）を圧迫させ、シリンダ（３１）内部の圧力伝動ユニットを起動させて圧力の調節を行う。この際、使用者はもう片方の手で甲板（２）を押すと、甲板（２）により連結されるシリンダ（３１）が連動され、ピストン棒（３２）がシリンダ（３１）内に挿入され、シリンダ（３１）内部の圧力の緩衝により、甲板（２）がゆっくりと垂直状態になる。
甲板（２）が垂直に折り畳まれた後、使用者がハンドレバー（３５）に対する操作を止めると、圧力制御部材（３４）に対する圧迫が解除され、シリンダ（３１）内部の圧力伝動ユニットの作動が停止し、甲板（２）がこの垂直に折り畳まれた状態に固定される。これにより、本考案のテーブルが占拠する空間が縮減され、室内空間の利用効率が高まる。
【００１７】
さらに、使用者が本考案のテーブルを使用し、甲板（２）を上に跳ね上げて展開させる場合、同様に片手でハンドレバー（３５）の第二端を操作し、ハンドレバー（３５）により接触する圧力制御部材（３４）を圧迫させ、シリンダ（３１）内部の圧力伝動ユニットを起動させて圧力の伝動調節を行う。
この際、シリンダ（３１）内部の圧力によりピストン棒（３２）が押され、ピストン棒（３２）がシリンダ（３１）の外に徐々に突出され、甲板（２）が徐々に上に跳ね上がって水平状態となる。或いは、甲板（２）が任意の角度まで跳ね上げられた後、使用者がハンドレバー（３５）に対する操作を止めると、圧力制御部材（３４）による圧迫が解除され、且つシリンダ（３１）内部の圧力伝動ユニットの作動が停止し、甲板（２）が任意の展開角度に固定される。
【００１８】
上述の構造及び実施方式から分かるように、本考案は以下の長所を有する。
１．本考案のテーブル構造は主に２本の脚、甲板、及び圧力シリンダで構成される。簡易な構造により甲板の展開及び折り畳み効果が達成され、折り畳み式テーブルの製造コストが効果的に節約される。
２．本考案のテーブル構造は甲板の展開及び折り畳み過程において、平穏に上に跳ね上げられ、垂直に降下する動作が行われる。このような設計により、甲板が高速に跳ね上げられて、甲板及び折り畳み関節等の箇所の構造がぶつかって損壊する事故が防止され、使用者の手が挟まれて怪我をする危険を回避させる。
３．本考案のテーブル構造は一方の手で甲板の固定状態を解除し、もう片方の手で甲板の跳ね上げを補助する。よって、使用者が一人で甲板の折り畳み動作を完成させることが可能である。
４．本考案のテーブル構造は、使用者の作業に合わせて甲板を垂直に折り畳み、水平に展開させてその間を任意の角度の位置に定位させることが可能である。ゆえに、使用者が作業する上で便利になる。
【００１９】
上述の実施形態は本考案の技術思想及び特徴を説明するためのものにすぎず、当該技術分野を熟知する者に本考案の内容を理解させると共にこれをもって実施させることを目的とし、本考案の実用新案登録請求の範囲を限定するものではない。従って、本考案の精神を逸脱せずに行う各種の同様の効果をもつ改良又は変更は、実用新案登録請求の範囲に含まれるものとする。
【符号の説明】
【００２０】
１  脚
２  甲板
２１  組立フレーム
３  圧力シリンダ
３１  シリンダ
３１１  第一結合座
３１２  ラグ
３１３  位置限定孔
３２  ピストン棒
３２１  第二結合座
３３  ピボット
３４  圧力制御部材
３５  ハンドレバー
【図１】
0003215689.tif 000003
【図２】
0003215689.tif 000004
【図３】
0003215689.tif 000005
【図４】
0003215689.tif 000006